(57)【要約】【課題】  支柱を、横杆の任意の位置において、強固に取り付けることができるようにした横杆への支柱の取付構造を提供する。【解決手段】  横杆２の上下幅より上下方向の長さを大とした基片１３ａの上端に、先端部に下向きの係合爪１３ｂを有するほぼ水平の上片１３ｃを連設した取付板１３における係合爪１３ｂと上片13cとを横杆２の上部に係合させて、ほぼ垂直の取付片１４ａの上端に、先端部に上向きの係合爪１４ｂを有する水平片１４ｃを連設した押え板１４における係合爪１４ｂと水平片１４ｃとを横杆２の下部に係合させて、取付片１４ａを基片１３ａにおける横杆２より下方に垂下する部分に重合させ、基片１３ａの側面に当接させた支柱８と基片１３ａと横杆２とを締着手段１７ａにより締着するとともに支柱８と基片１３ａと取付片１４ａとを別の締着手段１７ｂにより締着する。【選択図】  図５
2005253743.tif 000002
【特許請求の範囲】
【請求項１】
床面と平行に支持された断面がほぼ四角形の横杆に、支柱を取付ける支柱の取付構造であって、横杆の上下幅より上下方向の長さを大とした基片の上端に、先端部に下向きの係合爪を有するほぼ水平の上片を連設した取付板における前記係合爪と上片とを、横杆の上部に係合させて、前記取付片を横杆の側面に沿って垂下させ、かつほぼ垂直の取付片の上端に、先端部に上向きの係合爪を有する水平片を連設した押え板における前記係合爪と水平片とを横杆の下部に係合させて、前記取付片を前記基片における横杆より下方に垂下する部分に重合させ、前記基片の側面に当接させた支柱と前記基片と横杆とを締着手段により締着するとともに、前記支柱と基片と取付片とを、別の締着手段により締着したことを特徴とする支柱の取付構造。
【請求項２】
取付板の基片に、支柱を挟む１対の把持片を設けたことを特徴とする請求項１記載の支柱の取付構造。
【請求項３】
押え板の取付片に、内端が１対の把持片の外側面に当接するようにした、前記把持片と交差する方向を向く補強片を連設したことを特徴とする請求項２記載の支柱の取付構造。
【請求項４】
横杆の上面と下面に、軸方向に延びる複数の係合溝を設け、取付板および押え板における各係合爪を前記係合溝にそれぞれ係合させることにより、取付板の上片が横杆の上面に、また押え板の水平片が横杆の下面に、それぞれ当接するようにしたを特徴とする請求項１〜３のいずれかに記載の支柱の取付構造。
【請求項５】
横杆の側面に、内部が開口部よりも広幅の係合溝を軸方向に形成し、締着手段を、前記係合溝の内部に嵌合した板ナットと、支柱および取付板の基片を貫通して、前記板ナットに螺合するボルトとを備えるものとしたことを特徴とする請求項１〜４のいずれかに記載の支柱の取付構造。
【請求項６】
取付板の基片における係合溝と対向する部分の両側縁より互いに内方に向かって切込みを設け、両切込みに係合して、前記基片を両側方より挟む１対のボルトを、板ナットの両側部に設けたねじ孔に螺合して、基片の両側部を板ナットに締着しうるようにしたことを特徴とする請求項５記載の支柱の取付構造。
【発明の詳細な説明】
【技術分野】
【０００１】
本発明は、机や棚等の家具における床面と平行に支持された横杆への支柱の取付構造に関する。
【背景技術】
【０００２】
コンピュータ等を用いて作業をするためのワークテーブルにおいては、天板上の作業スペースを広く確保するため、天板の上方の空間にコンピュータディスプレイ等を配置できるようにするのが好ましい。
【０００３】
そのため、天板の後部に支柱嵌合用の受け孔を形成しておき、この受け孔に、弾性体からなる受け座を介して、複数の支柱を嵌合し、さらに受け座を貫通するボルトを支柱の底面に螺着することにより、支柱を天板に固定し、これら支柱の上端部に棚板をわたして、作業用の機器や什器を載置できるようにしたものが提案されている（特許文献１参照）。
【０００４】
また、天板上の作業空間をできるだけ広く確保するため、天板に支柱が食い込む受け孔を設けず、天板を支持する横杆と一体をなし、かつ、天板の側方に位置する支柱の上端における嵌合孔に、フランジを有するスリーブ対を嵌めつけた支杆を嵌合し、フランジを嵌合孔の上端に係止させることにより、支柱に支杆を簡単に継ぎ足せるようにした構造も提案されている（特許文献２参照）。
【特許文献１】特開２００３−１５９１２６号公報
【特許文献２】特開２００３−７９４３７号公報
【発明の開示】
【発明が解決しようとする課題】
【０００５】
しかし、上記特許文献１および２に記載されている支柱または支杆の取付構造では、支柱または支杆の取付位置を任意に変更することができない。
【０００６】
また、支柱または支杆に複数段の取付杆を架けわたし、多数のコンピュータ機器等を取付ける際には、重量が大きくなるため、支柱の取付強度や安定性を十分なものにしなければならないところ、上述の特許文献１に記載された取付構造では、支柱の底面積が限られており、また特許文献２に記載された取付構造においても、単に支杆を支柱に嵌合するだけであるため、がたついたり、十分な取付強度が得られないおそれがある。
【０００７】
本発明は、上記事情に鑑み、支柱を、横杆の長手方向の任意の位置において、強固に取り付けることができるようにした、支柱の取付構造を提供することを目的としている。
【課題を解決するための手段】
【０００８】
本発明によると、上記課題は、次のようにして解決される。
(１)  床面と平行に支持された断面がほぼ四角形の横杆に、支柱を取付ける支柱の取付構造において、横杆の上下幅より上下方向の長さを大とした基片の上端に、先端部に下向きの係合爪を有するほぼ水平の上片を連設した取付板における前記係合爪と上片とを、横杆の上部に係合させて、前記取付片を横杆の側面に沿って垂下させ、かつほぼ垂直の取付片の上端に、先端部に上向きの係合爪を有する水平片を連設した押え板における前記係合爪と水平片とを横杆の下部に係合させて、前記取付片を前記基片における横杆より下方に垂下する部分に重合させ、前記基片の側面に当接させた支柱と前記基片と横杆とを締着手段により締着するとともに、前記支柱と基片と取付片とを、別の締着手段により締着する。
【０００９】
(２)  上記(１)項において、取付板の基片に、支柱を挟む１対の把持片を設ける。
【００１０】
(３)  上記(２)項において、押え板の取付片に、内端が１対の把持片の外側面に当接するようにした、前記把持片と交差する方向を向く補強片を連設する。
【００１１】
(４)  上記(１)〜(３)項のいずれかにおいて、横杆の上面と下面に、軸方向に延びる複数の係合溝を設け、取付板および押え板における各係合爪を前記係合溝にそれぞれ係合させることにより、取付板の上片が横杆の上面に、また押え板の水平片が横杆の下面に、それぞれ当接するようする。
【００１２】
(５)  上記(１)〜(４)項のいずれかにおいて、横杆の側面に、内部が開口部よりも広幅の係合溝を軸方向に形成し、締着手段を、前記係合溝の内部に嵌合した板ナットと、支柱および取付板の基片を貫通して、前記板ナットに螺合するボルトとを備えるものとする。
【００１３】
(６)  上記(５)項において、取付板の基片における係合溝と対向する部分の両側縁より互いに内方に向かって切込みを設け、両切込みに係合して、前記基片を両側方より挟む１対のボルトを、板ナットの両側部に設けたねじ孔に螺合して、基片の両側部を板ナットに締着しうるようにする。
【発明の効果】
【００１４】
(１)  請求項１記載の発明によると、横杆を取付板と押え板とにより上下から挟んで、取付板の基片と押え板の取付片と支柱とを、互いに重合させて、締着手段により共締めするとともに、横杆と取付板の基片と支柱とを、別の締着手段により共締めしたので、相互の部材ががたついたり、単独で脱落したりすることなく、支柱を横杆に強固に取り付けることができる。
また、両締着手段をわずかに緩めて、支柱と取付板と押え板とを一体として、横杆の長手方向に摺動させることにより、横杆に対する支柱の取付位置を変更したり、支柱を横杆の任意の位置に取付けたりすることができる。
【００１５】
(２)  請求項２記載の発明によると、支柱を１対の把持片間に嵌合することにより、取付板に対する支柱の位置決めが容易になるとともに、支柱の支持強度を高めることができる。
【００１６】
(３)  請求項３記載の発明によると、補強片によって、押え板の取付片が補強されるだけでなく、補強片の内端が、取付片に設けられた１対の把持片の外側面に当接することにより、両把持片の外側方への変形が阻止され、支柱の支持強度がさらに高まる。
【００１７】
(４)  請求項４記載の発明によると、横杆の上下面に設けられた係合溝に、取付板および押え板における各係合爪が係合することにより、取付板と押え板とが、側方に外れることがないように、横杆の上下部を確実に把持することができ、支柱の支持強度がさらに増大する。
【００１８】
(５)  請求項５記載の発明によると、横杆の側面に設けた内部が開口部よりも広幅の係合溝に嵌合した板ナットにボルトを螺合して、横杆と取付板の基片と支柱とを、外部にナットが露呈することなく体裁よく、強力に締着することができるとともに、ボルトを緩めて、支柱と取付板と板ナットとを一体として、横杆の長手方向に摺動させることにより、横杆に対する支柱の取付位置を容易に変更することができる。
【００１９】
(６)  請求項６記載の発明によると、係合溝に嵌合された板ナットに対し、取付板の基片を両側方から挟む２本のボルトによって基片を締着することにより、基片の両側部を横杆に強固に取付けることができるとともに、板ナットのねじ孔と、基片のボルト挿通孔とが整合するようにするための基片と板ナットとの位置合わせを容易に行なうことができる。
【発明を実施するための最良の形態】
【００２０】
図１〜図５は、本発明の一実施形態を示す。図１のワークテーブルは、４本の脚(１)と、前後の脚(１)(１)の上端部間にわたされた前後方向を向く２本の横杆(２)(２)と、左右の横杆(２)の間にわたされた左右方向を向く４本の連結杆(３)（図２参照）と、これらの横杆(２)および連結杆(３)の上に載置支持された２枚の天板(４)とを備えている。
【００２１】
中央の２本の連結杆(３)の間には、コンピュータ機器等のケーブルを収容する配線受け(５)が設けられ、配線受け(５)は、カバー(６)によって覆蓋されるようになっている。また、配線受け(５)の下面には、左右方向に延びる幕板(７)が付設されている。
【００２２】
左右の横杆(２)(２)の前後方向の中央部内面には、支柱(８)(８)が取付けられており、これらの支柱(８)(８)には、上下２段の取付杆(９)(９)がわたされている。各取付杆(９)には、複数のコンピュータディスプレー(10)が架設され、これらのディスプレー(10)を天板(４)上に配置する場合に比べて、天板(４)の作業スペースを広く確保することができる。
【００２３】
図３〜図５に示すように、各横杆(２)の上下面および両側面には、それぞれ軸方向に２本の係合溝(11)(12)が沿設されている。上下面の係合溝(11)は、外側の側壁(11a)が、開口部(11b)の縁部からそのまま垂直に延びている。他方、両側面の係合溝(12)においては、開口部(12a)の両縁部(12b)が互いに中央に向かって延出しているため、内部(12c)が開口部(12a)よりも広幅となっている。
【００２４】
図５に示すように、横杆(２)の上面における左方の係合溝(11)には、取付板(13)が、図５の矢印(Ａ)で示すように、上方から取付けられる。取付板(13)は、横杆(２)の上下幅より上下方向の長さを大とした基片(13a)と、この基片(13a)の上端両側部に連設され、先端部に下向きの係合爪(13b)を有する水平の１対の上片(13c)(13c)とを備えている。上片(13c)は、横杆(２)の上面に当接し、係合爪(13b)は、係合溝(11)の外側の側壁(11a)と係合する。基片(13a)は、横杆(２)の側面に沿って垂下する。
【００２５】
基片(13a)の下部における両側縁には、支柱(８)の両側面を挟む１対の把持片(13d)(13d)が設けられており、支柱(８)を両把持片(13d)(13d)の間に嵌合することにより、支柱取付時の位置合わせが容易になる。
【００２６】
横杆(２)の下面およびその左方の係合溝(11)には、押え板(14)が、図５の矢印(Ｂ)で示すように、取付板(13)と上下方向において対をなすよう、下方から取付けられる。押え板(14)は、垂直な取付片(14a)と、この取付片(14a)の上端に連設され、かつ先端部に上向きの係合爪(14b)を有する水平片(14c)とを備えている。水平片(14c)は、横杆(２)の下面に当接し、係合爪(14b)は、係合溝(11)の外側の側壁(11a)と係合する。また、取付片(14a)は、基片(13a)の横杆(２)より下方に位置する部分と重合する。
【００２７】
取付片(14a)は、上辺が下辺より長い倒立台形状をなし、上方に向かって拡開するように延びる両斜辺の縁部には、補強片(14d)が直角に折曲形成されている。両補強片(14d)(14d)の内端は、両把持片(13d)(13d)の外側面に当接されているので、両把持片(13d)(13d)の外側方への変形が阻止されるようになっている。
【００２８】
支柱の下部中央部には、左右方向に延びる３個のボルト貫通孔(15)が、上下方向に並んで穿設されており、取付板(13)の基片(13a)の中央部にも、ボルト貫通孔(15)に対応して、３個のボルト挿通孔(16)が設けられている。３本のロングボルト(17a)(17b)が、それぞれボルト貫通孔(15)とボルト挿通孔(16)に通されるが、このうち上方の２本のロングボルト(17a)は、横杆(２)の側面における上下の係合溝(12)の内部(12c)に嵌合された上下２段の板ナット(18)の中央に設けられたねじ孔(19)に螺着される。
【００２９】
本実施形態によれば、板ナット(18)が外部に露呈することがないため、支柱(８)、取付板(13)、および横杆(２)を体裁よく締着することができる。
【００３０】
また、ロングボルト(17a)を緩めて、支柱(８)と取付板(13)と板ナット(18)とを一体として、横杆(２)の長手方向に摺動させることにより、横杆(２)に対する支柱(８)の取付位置を容易に変更することができる。
【００３１】
押え板(14)の取付片(14a)には、逆三角形状に３個のボルト挿通孔(20)が穿設されている。このうち下方の頂点に位置するボルト挿通孔(20)は、支柱(８)の最下方のボルト貫通孔(15)および取付板(13)の基片(13a)における最下方のボルト挿通孔(16)と対応する位置に設けられている。したがって、最下方のロングボルト(17b)を、横杆(２)の下方においてナット(21)に螺着することにより、支柱(８)の下端部、取付板(13)の基片(13a)、および押え板(14)の取付片(14a)の三者を一体に固着することができる。
【００３２】
この際、取付板(13)と押え板(14)の各係合爪(13b)(14b)が、横杆(２)の上下の係合溝(11)(11)に係合して、横杆(２)の上下部を確実に把持するため、支柱(８)の支持強度は十分に大きなものとなる。
【００３３】
取付板(13)の基片(13a)には、上方の２個のボルト挿通孔(16)のそれぞれの左右両側方において、板ナット(18)の両側部に設けた１対のねじ孔(19)(19)の位置に合わせて、両側縁からボルト挿通孔(16)に向かって切込み(22)(22)が形成されている。したがって、左右１対のボルト(23)(23)を、この切込み(22)に係合して、基片(13a)を両側方より挟むようにして、板ナット(18)の両側部のねじ孔(19)に螺合し、これを締付けることにより、基片(13a)の両側部を横杆(２)に強固に取付けることができるとともに、板ナット(18)の中央のねじ孔(19)と基片(13a)のボルト挿通孔(16)とが整合するように、基片(13a)と板ナット(18)とを容易に位置決めすることができる。
【００３４】
押え板(14)の取付片(14a)における上方の２個のボルト挿通孔(20)は、取付板(13)の基片(13a)の両翼に設けられたボルト挿通孔(24)と対応する位置にあり、これらのボルト挿通孔(20)(24)に挿通したボルト(25)の先端部に、横杆(２)の下方においてナット(26)を螺合して締付けることにより、最下方のロングボルト(17)による締付と併せて、取付板(13)と押え板(14)は、互いに強固に固着される。
【００３５】
押え板(14)は、このようにロングボルト(17b)とボルト(25)によって取付板(13)と固着される際、取付片(14a)を介して、横杆(２)を、取付板(13)の基片(13a)に密着させる。したがって、取付板(13)は、ロングボルト(17b)とボルト(25)による締着と併せて、より強固に横杆(２)に固着される。
【００３６】
本実施形態における支柱(８)は、取付板(13)と押え板(14)を介して、極めて強固に横杆(２)に取り付けられるため、取付杆(９)に複数のコンピュータディスプレー(10)のような全体として大きな重量に達するものを取り付けた場合でも安定して支持することができる。
【００３７】
また、本実施形態においては、横杆(２)の上下面にそれぞれ２条の係合溝(11)を設けたため、このワークテーブルを左右方向に連設する場合に、同じ前後方向の位置において隣り合わせに２本の支柱(８)を横杆(２)の両側面に取付けることができ、取付杆(９)を左右方向に連続させることができる。
【図面の簡単な説明】
【００３８】
【図１】本発明の一実施形態を具備するワークテーブルの斜視図である。
【図２】同じく、分解斜視図である。
【図３】図２におけるＰ部を組み立てた状態で内方より見た側面図である。
【図４】同じく、支柱の中央で縦断した要部の縦断正面図である。
【図５】Ｐ部の拡大分解斜視図である。
【符号の説明】
【００３９】
(１)  脚体
(２)  横杆
(３)  連結杆
(４)  天板
(５)  配線受け
(６)  カバー
(７)  幕板
(８)  支柱
(９)  取付杆
(10)  コンピュータディスプレー
(11)  係合溝
(11a)  外側の側壁
(11b)  開口部
(12)  係合溝
(12a)  開口部
(12b)  両縁部
(12c)  内部
(13)  取付板
(13a)  基片
(13b)  係合爪
(13c)  上片
(13d)  把持片
(14)  押え板
(14a)  取付片
(14b)  係合爪
(14c)  水平片
(14d)  補強片
(15)  ボルト貫通孔
(16)  ボルト挿通孔
(17a)(17b)  ロングボルト（締着手段）
(18)  板ナット（締着手段）
(19)  ねじ孔
(20)  ボルト挿通孔
(21)  ナット
(22)  切込み
(23)  ボルト
(24)  ボルト挿通孔
(25)  ボルト
(26)  ナット
【図１】
2005253743.tif 000003
【図２】
2005253743.tif 000004
【図３】
2005253743.tif 000005
【図４】
2005253743.tif 000006
【図５】
2005253743.tif 000007